(57)【要約】【課題】収納物を安定して保持できるとともに収納物の着脱を容易にする。【解決手段】対向する一対の第１側壁１及び第２側壁２を含む周壁１０２を備えた包装容器Ａであって、第１側壁１および第２側壁２は、底壁５から上方に折曲される外面板１１、２１と、外面板１１、２１の上端から内方に折曲される上面板１２、２２と、上面板１２、２２の内端から下方に折曲される内面板１３、２３と、を備え、対向する内面板１３、２３は、それぞれ収納物Ｓを嵌合により保持する貫通孔１３１、２３１を備える。【選択図】図１
2020093824.tif 000002
【特許請求の範囲】
【請求項１】
対向する一対の第１側壁及び第２側壁を含む周壁を底壁上に立設して上面が開口した収納部を備えた包装容器において、
前記第１側壁及び前記第２側壁は、
前記底壁から上方に折曲される外面板と、
前記外面板の上端から内方に折曲される上面板と、
前記上面板の内端から下方に折曲される内面板と、を備え、
対向する前記内面板は、それぞれ収納物を嵌合により保持する貫通孔を備える包装容器。
【請求項２】
前記第１側壁が下端を中心として上端を外周側に傾倒可能である請求項１に記載の包装容器。
【請求項３】
前記第１側壁の前記外面板及び前記内面板の少なくとも一方は、側端から内側に折曲される側面フラップを備え、
前記第１側壁に隣接する前記周壁が折曲により前記側面フラップを挿入可能に形成され、
前記側面フラップの上端が、自由端に行くほど下方に傾斜する請求項２に記載の包装容器。
【請求項４】
前記貫通孔は、前記収納物が内接可能な多角形の一部を含む形状である請求項１から請求項３のいずれかに記載の包装容器。
【請求項５】
前記第１側壁の前記内面板および前記第２側壁の前記内面板の少なくとも一方に設けられる前記貫通孔は、前記多角形の少なくとも一辺が内側に向かって凸形状に湾曲している請求項４に記載の包装容器。
【請求項６】
前記収納部の上面を覆う蓋材を備え、
前記蓋材は、少なくとも、前記第１側壁の前記外面板に外嵌する外嵌板を備える請求項１から請求項５のいずれかに記載の包装容器。
【請求項７】
前記内面板の下端から内側に折曲される底面フラップと、
前記内面板に設けた切込みにより形成されるとともに前記底面フラップから外側に突出して前記外面板の内面に当接する支持片と、をさらに備える請求項１から請求項６のいずれかに記載の包装容器。
【請求項８】
前記切込みが前記底面フラップと前記内面板との境界の折り線から延びて前記貫通孔の辺縁を形成する請求項７に記載の包装容器。
【発明の詳細な説明】
【技術分野】
【０００１】
本発明は、固定した状態で収納物を収納する包装容器に関する。
【背景技術】
【０００２】
ワイン、濃縮飲料等のビン入りの飲料を箱に収納する場合がある。この手のビンは、多くの場合、底が有る（有底の）円筒状である。そのため、そのまま箱に収納するとビンが箱内で安定しない。ビンを安定して収納するため、例えば、実開平６−４９３１９号公報には、箱の内部に配置してビンを保持する瓶保持体が開示されている。
【０００３】
実開平６−４９３１９号公報では、枠状に形成された紙製の瓶胴部保持体と、横三角筒状に形成された紙製の瓶肩部保持体とを贈答箱内に収容している。瓶肩部保持体は、肩部保持半楕円孔を備える肩部保持板と、肩部保持半楕円孔と連通した胴部保持半楕円孔を備える胴部保持板を備える。肩部保持板は、贈答箱の底部に対して斜めに配置され胴部保持板は、底部に対して起立して設けられる。肩部保持半楕円孔および胴部保持半楕円孔に、ビンの上部を嵌めることで、ビンを安定して保持する。
【先行技術文献】
【特許文献】
【０００４】
【特許文献１】実開平６−４９３１９号公報
【発明の概要】
【発明が解決しようとする課題】
【０００５】
しかしながら、実開平６−４９３１９号公報では、箱以外に瓶を保持するための保持体を別途備えなくてはならず、箱の組み立てに要する紙の量が多くなる。また、保持体自体は、底面のみで支えられる構成であり、輸送時に瓶が動く虞がある。
【０００６】
本発明は、収納物を安定して保持できるとともに収納物の着脱が容易な包装容器を提供することを目的とする。
【課題を解決するための手段】
【０００７】
上記目的を達成するために本発明の包装容器は、対向する一対の第１側壁及び第２側壁を含む周壁を底壁上に立設して上面が開口した収納部を備える。前記第１側壁及び前記第２側壁は、前記底壁から上方に折曲される外面板と、前記外面板の上端から内方に折曲される上面板と、前記上面板の内端から下方に折曲される内面板と、を備える。対向する前記内面板は、それぞれ収納物を嵌合により保持する貫通孔を備える。
【０００８】
この構成によると、収納部の内部に収納物を保持するための保持部材を備えることなく、収納物を保持することができる。そのため、使用する材料を減らすことが可能であり、コストダウン可能であるとともに、包装容器自体を軽量化することが可能である。また、収納物の２箇所（両端）を貫通孔に嵌合することで保持するため、安定して保持することが可能である。そのため、収納物を収納した状態で運搬した場合であっても、収納物がずれたり、移動したりしにくい。そのため、収納物の変形、劣化等を抑制できる。さらに、収納物を貫通孔に嵌合させるだけで保持可能であるため、収納物の着脱が容易である。このため、使用者の利便性を高めることが可能である。
【０００９】
上記構成において、前記第１側壁が、下端を中心として上端を外周側に傾倒可能であってよい。このように構成することで、第１側壁側に備えられた貫通孔による収納物の保持を容易に外すことができる。これにより、さらに収納物の着脱が容易であり、使用者の利便性をさらに高めることが可能である。
【００１０】
上記構成において、前記第１側壁の前記外面板及び前記内面板の少なくとも一方は、側端から内側に折曲される側面フラップを備える。前記第１側壁に隣接する前記周壁が折曲により前記側面フラップを挿入可能に形成される。前記側面フラップの上端が、自由端に行くほど下方に傾斜する。このように構成することで、第１側壁は側面フラップが周壁に収納されるため、包装容器の角部の強度を高めることが可能である。また、第１側壁を外周側に容易に傾倒可能となる。そのため、包装容器の強度を高めることができるとともに収納物の着脱が容易であり、使用者の利便性をさらに高めることが可能である。
【００１１】
貫通孔は、収納物が内接可能な多角形の一部を含む形状であってもよい。このように構成することで、貫通孔は、収納物の外面を複数の点で保持できる。また、第１側壁の内面板および第２側壁の内面板の少なくとも一方に設けられる貫通孔は、多角形の少なくとも一辺が内側に向かって凸形状に湾曲していてもよい。これにより、収納物を挿入するときに、多角形の辺部を変形させることができ、収納物は、より強固に保持される。
【００１２】
上記構成において、前記収納部の上面を覆う蓋材をさらに備える。前記蓋材は、少なくとも、前記第１側壁の前記外面板に外嵌する外嵌板を備える。このように構成することで、蓋材を取り付けたとき、外嵌板が第１側壁の外面板を押える。そのため、運搬時等に、振動や力が包装容器に作用しても第１側壁の外周側への傾倒が抑制される。これにより、包装容器は、運搬時の収納物のずれ、移動等を抑制できる。
【００１３】
上記構成において、前記内面板の下端から内側に折曲される底面フラップと、前記内面板に設けた切込みにより形成されるとともに前記底面フラップから外側に突出して前記外面板の内面に当接する支持片と、をさらに備えていてもよい。このように構成することで、外面板と内面板とは、上端が上面板で接続され、下端が支持片にて一定の間隔をなすように保持される。そのため、外面板と内面板との間隔を一定に保つことができる。これにより、収納物の貫通孔から突出する部分の長さを一定に保つことができ、収納物をより安定して保持することが可能である。
【００１４】
上記構成において、前記切込みが前記底面フラップと前記内面板との境界の折り線から延びて前記貫通孔の辺縁を形成してもよい。このように構成することで、支持片と底面フラップとを同一面で形成することが可能である。そのため、内面板の下端と底面フラップとの境界に設けられた折り線で底面フラップを折曲することで、支持片を外面板側に突出させることができる。これにより、組み立て作業を減らすことが可能である。また、支持片を別途設ける場合に比べて材料を少なくすることができる。
【発明の効果】
【００１５】
本発明の包装容器によると、収納物を安定して保持できるとともに収納物の着脱を容易に行うことが可能である。
【図面の簡単な説明】
【００１６】
【図１】本発明にかかる包装容器の一例の斜視図である。
【図２】収納箱を前側から見た斜視図である。
【図３】収納箱を後側から見た斜視図である。
【図４】図２に示す収納箱の展開図である。
【図５】第１側壁を組み立てた状態の収納箱を前側から見た斜視図である。
【図６】第２側壁を組み立てた状態の収納箱を後側から見た斜視図である。
【図７】第３側壁を組み立てている途中の状態の収納箱を後側から見た斜視図である。
【図８】第４側壁を組み立てている途中の状態の収納箱を前側から見た斜視図である。
【図９】組み立てが完了した収納箱に収納物を収納した状態を前側から見た斜視図である。
【図１０】第１側壁を傾倒させた状態の収納箱を示す斜視図である。
【図１１】収納物を収納した状態で第１側壁を傾倒させた状態の収納箱を示す斜視図である。
【図１２】図１に示す包装容器に備えられる蓋材の斜視図である。
【図１３】蓋材の他の例の下側から見た斜視図である。
【図１４】変形例の収納箱の展開図である。
【発明を実施するための形態】
【００１７】
＜第１実施形態＞
以下に図面を参照して本発明の実施形態を説明する。図１は、本実施形態の包装容器Ａの前側から見た斜視図である。なお、「上」、「下」、「前」、「後」は、図１に示す状態を基準とする。図１は、本発明にかかる包装容器Ａの一例の斜視図である。
【００１８】
（１．包装容器Ａの概要について）
図１に示すとおり、本発明にかかる包装容器Ａは、収納物Ｓを収納する収納箱１００と、収納箱１００の上面の開口を覆う蓋材２００とを備える。図１に示すとおり、収納箱１００は、内部に収納物Ｓを収納するための収納部６０を備える。包装容器Ａでは、収納部６０に収納物Ｓを収納した状態で、蓋材２００を収納箱１００に取り付ける。次に、収納箱１００および蓋材２００の詳細について説明する。
【００１９】
（２．収納箱１００について）
まず、収納箱１００の詳細について、図面を参照して説明する。図２は、収納箱１００を前側から見た斜視図である。図３は、収納箱１００を後側から見た斜視図である。図４は、図２に示す収納箱１００の展開図である。図５は、第１側壁１を組み立てた状態の収納箱１００を前側から見た斜視図である。図６は、第２側壁２を組み立てた状態の収納箱１００を後側から見た斜視図である。図７は、第３側壁３を組み立てている途中の状態の収納箱１００を後側から見た斜視図である。図８は、第４側壁４を組み立てている途中の状態の収納箱１００を前側から見た斜視図である。
【００２０】
図２、図３に示すように、収納箱１００は、長方形状の底部１０１を有し、底部１０１の四辺の各々から上方に延びる周壁１０２を備える。そして、収納箱１００には、上部に開口を有する収納部６０を備える。図２、図３に示すように、周壁１０２は、第１側壁１と、第２側壁２と、第３側壁３と、第４側壁４とを含み、底部１０１は、底壁５を含む（図４等参照）。そして、収納箱１００は平面視長方形状の直方体形状であり、第１側壁１と第２側壁２とが対向する。また、第３側壁３と第４側壁４とが対向する。つまり、第１側壁１および第２側壁２は対をなし、第３側壁３および第４側壁４は対をなす。
【００２１】
図４に示すように、収納箱１００は、１枚の紙シートＰｓを折り曲げることで形成される。なお、図４に示す紙シートＰｓでは、辺縁部を実線で示し、折曲げ線である折り線を一点鎖線で示す。
【００２２】
図４に示すように、底壁５は長方形状である。第１側壁１および第２側壁２は、底壁５の一対の長辺の各々と連設される。また、第３側壁３および第４側壁４は、底壁５の一対の短辺の各々と連設される。すなわち、周壁１０２は、底壁５に立設されている。
【００２３】
（２．１  第１側壁１について）
図２〜図４に示すように、第１側壁１は、第１外面板１１と、第１上面板１２と、第１内面板１３と、第１側面フラップ１４（図４、図５等参照）と、第１底面フラップ１５（図４、図５等参照）と、第１支持片１６とを備える。
【００２４】
第１外面板１１は、長方形状である。第１外面板１１は底壁５の長辺と連設されている。第１外面板１１は底壁５の長辺で上方に折曲される。第１上面板１２は第１外面板１１の上端と連設されている。第１上面板１２は第１外面板１１の上端で内側に折曲される。第１上面板１２は、内側が外側に比べて短く、台形状である。詳細は後述するが、第３側壁３の第３上面板３２および第４側壁４の第４上面板４２と干渉することを抑制する形状となっている。
【００２５】
第１内面板１３は第１上面板１２の内端と連設されている。第１内面板１３は第１上面板１２の内端で下側に折曲される。第１内面板１３の下端は、底壁５と接触する。第１内面板１３には、３個の第１貫通孔１３１が形成されている。第１貫通孔１３１は、第１内面板１３の長手方向、ここでは、前後方向に等間隔で形成されている。なお、第１貫通孔１３１は、３個に限定されない。
【００２６】
図４に示すとおり、第１貫通孔１３１は、上側に配された八角形と、下側に配された台形と、を組み合わせた形状である。さらに詳しく説明すると、第１貫通孔１３１は、八角形の下端の一辺が台形の上底と一致するように八角形と台形とを重ねた形状である。すなわち、第１貫通孔１３１は、上部に配された八角形状の部分と、下部に配された台形状の部分とを備える。なお、八角形状の部分は、台形状の上底と一致する辺およびその隣り合う２辺を除く５辺の長さが等しい。また、八角形状の部分は全ての辺に内接する円を有する形状である。そして、第１貫通孔１３１は、八角形状の部分の中心を通る鉛直の線に対して線対称な図形である。
【００２７】
台形状の部分は第１内面板１３と第１底面フラップ１５との境界（折り線）まで到達している。図４に示す紙シートＰｓにおいて、台形状の部分の斜辺は切込み１３３であり、切込み１３３は第１貫通孔１３１の辺縁を形成する。そして、切込み１３３に挟まれる台形状の部分は、第１支持片１６である。
【００２８】
第１底面フラップ１５は第１内面板１３の下端と連設されている。第１底面フラップ１５は第１内面板１３の下端で内側に折曲される（図５参照）。第１底面フラップ１５は、第４側壁４側の端部に切欠き１５１を備える長方形状である。切欠き１５１は、第３側壁３の後述する第３底面フラップ３４との干渉を抑制するために設けられる。
【００２９】
第１支持片１６は第１底面フラップ１５と一体に形成される。すなわち、第１内面板１３の下端で第１底面フラップ１５を折り曲げたとき、第１支持片１６は、第１内面板１３の外側に向かって倒れる。そして、第１支持片１６の自由端は第１外面板１１と当接する（図２参照）。
【００３０】
第１側面フラップ１４は、第１外側フラップ１４１と、第１内側フラップ１４２とを備える（図４、図５等参照）。収納箱１００において、第１外側フラップ１４１および第１内側フラップ１４２はそれぞれ前後に対をなしている。なお、本実施形態の第１側面フラップ１４では、第１外側フラップ１４１と第１内側フラップ１４２の両方備えているが、いずれか一方であってもよい。すなわち、第１側面フラップ１４は、第１外側フラップ１４１および第１内側フラップ１４２の少なくとも一方を備えていればよい。
【００３１】
一対の第１外側フラップ１４１は、第１外面板１１の両側端、ここでは、前後端に連設される。第１外側フラップ１４１の上端は、自由端に行くほど下方に傾斜している。なお、第１外側フラップ１４１の上端としては、例えば、円弧状、楕円弧状、複数の曲率の円弧を含む複合円弧状等を挙げることができるが、これに限定されない。また、一部直線状であってもよいし、複数の角部を備える折れ線状であってもよい。
【００３２】
一対の第１内側フラップ１４２は、第１内面板１３の両端側、ここでは、前後端に連設される。第１内側フラップ１４２は、第１内面板１３に連設されている以外、第１外側フラップ１４１と略同じ構成である。そのため、第１内側フラップ１４２の詳細については省略する。
【００３３】
第１内面板１３の第１内側フラップ１４２との境界には、上下に延びる長方形状の係止孔１３２が備えられる。係止孔１３２は貫通孔であり、第３側壁３の後述する第３内面板３３に備えられた係止爪３３１および第４側壁４の後述する第４内面板４３に備えられた係止爪４３１が挿入可能である。
【００３４】
（２．２  第２側壁２について）
図３、図４に示すように、第２側壁２は、第２外面板２１と、第２上面板２２と、第２内面板２３と、第２側面フラップ２４と、折畳部２５と、第２底面フラップ２６と、第２支持片２７とを備える。
【００３５】
第２外面板２１は、長方形状である。第２外面板２１は底壁５の長辺と連設されている。第２外面板２１は底壁５の長辺で上方に折曲される。
【００３６】
第２上面板２２は第２外面板２１の上端と連設されている。第２上面板２２は第２外面板２１の上端で内側に折曲される。第２上面板２２は、両側端、すなわち、前後両端に内側に向かって突出した一対の凸部２２１を備える（図６参照）。一対の凸部２２１は、それぞれ、第３側壁３の第３上面板３２および第４側壁４の第４上面板４２と一部重なる。凸部２２１と第３上面板３２とが重なることで、第２側壁２と第３側壁３とが強固に固定される。同様に、凸部２２１と第４上面板４２とが重なることで、第２側壁２と第４側壁４とが強固に固定される。
【００３７】
第２内面板２３は第２上面板２２の内端と連設されている。第２内面板２３は第２上面板２２の内端で下側に折曲される。第２内面板２３の下端は、底壁５と接触する。第２内面板２３には、３個の第２貫通孔２３１が形成されている。第２貫通孔２３１は、第２内面板２３の長手方向、ここでは、前後方向に等間隔で形成されている。第２貫通孔２３１は、３個に限定されない。
【００３８】
図４に示すとおり、第２貫通孔２３１は、上側に配された十角形と、下側に配された長方形と、を組み合わせた形状である。さらに詳しく説明すると、第２貫通孔２３１は、十角形の下端の一辺が長方形の長辺と一致するように十角形と長方形とを重ねた形状である。すなわち、第２貫通孔２３１は、上部に配された十角形状の部分と、下部に配された長方形状の部分とを備える。なお、十角形状の部分の形状としては、ここでは、正八角形の下端の１辺の両端に接続する辺を外側に折り曲げた形状である。十角形状の部分は、全ての辺に内接可能な円を有する形状である。
【００３９】
このように構成することで、八角形状とする場合に比べて、収納物Ｓと接触する辺が多くなり、収納物Ｓの下端部をより強固に保持できる。なお、収納物Ｓが軽量である、第２内面板２３の厚みが厚い等、第２貫通孔２３１で収納物Ｓを支持するのに十分な強度を有する場合、外側に折り曲げた辺を直線状、すなわち、八角形状としてもよい。また、第２貫通孔２３１は、十角形状の部分の中心を通る鉛直の線に対して線対称な図形である。
【００４０】
長方形の部分は第２内面板２３と第２底面フラップ２６との境界（折り線）まで到達している。図４に示すように、第２貫通孔２３２の十角形状の部分の下端の１辺と長方形の短辺とは連続している。十角形状の部分の下端部の１辺の両隣の辺および長方形の短辺は切込み２３２の一部である。切込み２３２は第２貫通孔２３１の辺縁の一部を形成する。第２内面板２３では、第２貫通孔２３１の切込み２３２で挟まれる部分の上部は、取り除かれる。すなわち、切込み２３２に挟まれる部分は、第２支持片２７である。第２支持片２７は、第２底面フラップ２６と一体に形成される。なお、長方形状の部分を省略して、十角形状の部分の下端の辺を第２底面フラップ２６との境界と一致させてもよい。この場合、十角形状の部分の下端の辺の両端と隣り合う辺が切込み２３２となる。
【００４１】
第２貫通孔２３１は、第１貫通孔１３１よりも大きい。また、３個の第１貫通孔１３１と３個の第２貫通孔２３１はそれぞれ対をなしている。すなわち、第１側壁１の第１内面板１３および第２側壁２の第２内面板２３には、３対の貫通孔（第１貫通孔１３１および第２貫通孔２３１）を備える。３対の貫通孔は、それぞれ、収納物Ｓの上端部および下端部を外嵌して保持する。そして、本実施形態の収納箱１００において、第１貫通孔１３１の八角形状の部分の中心の底部１０１からの距離と、第２貫通孔２３１の十角形状の部分の中心の底部１０１からの距離は、等しい。このようにすることで、収納物Ｓは、中心軸が底部１０１と平行な状態で収納箱１００に収納される。これにより、収納箱１００は、収納物Ｓをより安定して保持できる。
【００４２】
第２底面フラップ２６は第２内面板２３の下端と連設されている。第２底面フラップ２６は第２内面板２３の下端で内側に折曲される（図６参照）。図４に示すように、第２底面フラップ２６は、第３側壁３側の端部に切欠き２６１を備える長方形状である。切欠き２６１は、第３側壁３の後述する第３底面フラップ３４との干渉が抑制される。
【００４３】
第２支持片２７は、十角形状の部分の下端の辺と隣り合う辺の反対側の辺との角部から、十角形状の部分の内側に向かう辺を有し、その辺の先端を接続した辺（自由端）を有する。第２支持片２７は、第２底面フラップ２６と一体に形成される。第２内面板２３の下端で第２底面フラップ２６を折り曲げたとき、第２支持片２７は、第２底面フラップ２６とともに移動して、第２内面板２３の外側に向かって倒れる。そして、第２支持片２７の自由端は第２外面板２１と当接する（図３、図６等参照）。
【００４４】
収納箱１００において、第２側面フラップ２４は、対をなして備えられている。一対の第２側面フラップ２４は、第２内面板２３の両側端、ここでは、前後端に連設される。第２側面フラップ２４は、長方形状であり自由端の２つの角部は曲線（円弧）で面取りされている。しかしながら、この形状に限定されるものではなく、面取りはなくてもよい。また、第２側面フラップ２４は、長方形状に限定されず、半楕円、三角形状、台形状等であってもよい。
【００４５】
一対の折畳部２５は、第２外面板２１の両側端にそれぞれ備えられる。一方の折畳部２５は第２外面板２１の前側端および第３側壁３の第３外面板３１の側端と連通される。また、他方の折畳部２５は第２外面板２１の後側端および第４側壁４の第４外面板４１の側端と連通される。そして、折畳部２５は底壁５の頂点から外側に延びる折り線を備え、この折り線で折り曲げることで重ねることが可能である（図７、図８参照）。
【００４６】
（２．３  第３側壁３について）
図２、図３、図４に示すように、第３側壁３は、第３外面板３１と、第３上面板３２と、第３内面板３３と、第３底面フラップ３４とを備える。
【００４７】
第３外面板３１は、長方形状である。第３外面板３１は底壁５の短辺と連設されている。第３外面板３１は底壁５の短辺で上方に折曲される。第３上面板３２は第３外面板３１の上端と連設されている。第３上面板３２は第３外面板３１の上端で内側に折曲される。
【００４８】
第３内面板３３は第３上面板３２の内端と連設されている。第３内面板３３は第３上面板３２の内端で下側に折曲される。第３内面板３３の下端は、底壁５と接触する。第３内面板３３の第１側壁１側の端部に、係止爪３３１を備える。係止爪３３１は第３内面板３３が第３上面板３２の内端から下方に折曲された状態で、上側に行くほど外側に突出する楔型である（図４等参照）。
【００４９】
第３底面フラップ３４は第３内面板３３の下端と連設されている。第３底面フラップ３４は第３内面板３３の下端で内側に折曲される。第３底面フラップ３４は、自由端の両端が斜めに切りかかれている。切りかかれていることで、第１底面フラップ１５および第２底面フラップ２６との干渉が抑制される。また、第３内面板３３の下端にコの字状の切込みが形成されており、第３底面フラップ３４を折曲することで、固定孔３３２が形成される。
【００５０】
（２．４  第４側壁４について）
図２、図３、図４に示すように、第４側壁４は、第４外面板４１と、第４上面板４２と、第４内面板４３と、底面カバー４４とを備える。
【００５１】
第４側壁４において、第４外面板４１、第４上面板４２および第４内面板４３は、それぞれ、第３側壁３の第３外面板３１、第３上面板３２および第３内面板３３と実質上同じ構成を有している。そのため、第４外面板４１、第４上面板４２および第４内面板４３についての詳細な説明は省略する。なお、第４内面板４３には第３内面板３３と同様に、第１側壁１側に係止爪４３１が設けられており、第１内面板１３の係止孔１３２に挿入可能である。
【００５２】
底面カバー４４は、第４内面板４３の下端に接続される。底面カバー４４は、第４内面板４３の下端で内側に折曲される。底面カバー４４は、底壁５の周壁１０２に囲まれている部分と略同じ大きさの長方形状である。底面カバー４４は、自由端に凸部４４１を備える。底面カバー４４は、底壁５の内面を覆うとともに凸部４４１を第３内面板３３に設けられた固定孔３３２に挿入される（図３参照）。これにより、底面カバー４４は底壁５の内面に固定される。底面カバー４４は、収納箱１００の底壁５を補強する。すなわち、底壁５と底面カバー４４との２重とすることで、収納箱１００の底部１０１の強度が高められる。
【００５３】
（３．収納箱１００の組み立てについて）
次に、収納箱１００の組み立て手順について図面を参照して説明する。
【００５４】
本実施形態の収納箱１００では、第１側壁１、第２側壁２、第３側壁３、第４側壁４の順に組み立てる。なお、組み立ての手順については、これに限定されない。例えば、第１側壁１と第２側壁２の組み立ての手順が逆になってもよい。すなわち、最後に第４側壁４組み立てられれば、その他の側壁の組み立て順について特に限定されない。
【００５５】
（３．１  第１側壁１の組み立て）
図５に示すとおり、第１外面板１１、第１上面板１２、第１内面板１３および第１底面フラップ１５の各板材を折り線で折曲して第１側壁１を形成する。なお、各板材の折曲方向については、上述しているため、詳細は省略する。
【００５６】
第１支持片１６は第１底面フラップ１５と一体に形成されている。第１底面フラップ１５を第１内面板１３に対して内側に折曲するとき、第１支持片１６は第１底面フラップ１５と一体に変位する。第１支持片１６は第１底面フラップ１５と反対側に移動して第１外面板１１の内面と接触する。これにより、第１支持片１６は、第１内面板１３を第１外面板１１に対して一定の距離を保つように支持する。
【００５７】
第１外面板１１と第１内面板１３とは略平行である。この状態で第１底面フラップ１５は底壁５に接着される。なお、接着は接着剤によって行ってもよいし、粘着テープを用いてもよい。また、接着に限定されず、第１底面フラップ１５の一部を底壁５に設けられた貫通孔（不図示）に挿入する等、第１底面フラップ１５の一部を底壁５に確実に固定できる方法を広く採用できる。なお、第１支持片１６も底壁５に接着してもよい。また、最終的に、第１底面フラップ１５の上部を底面カバー４４が覆うため、第１側壁１が収納物Ｓを支持するための十分な強度を有する場合、第１底面フラップ１５を底壁５に固定しなくてもよい。
【００５８】
第１側壁１では、第１外面板１１が底壁５と一体であるとともに第１内面板１３は第１底面フラップ１５を介して底壁５に固定されている。そのため、第１側壁１は、下端を中心として上端が外側に傾倒可能である。第１側壁１の傾倒の詳細については、後述する。
【００５９】
（３．２  第２側壁２の組み立て）
次に、第２側壁２を組み立てる。図６に示すとおり、第２外面板２１、第２上面板２２、第２内面板２３および第２底面フラップ２６の各板材を折り線で折曲して第２側壁２を形成する。なお、各板材の折曲方向については、上述しているため、詳細は省略する。
【００６０】
第２支持片２７は第２底面フラップ２６と一体に形成されている。第２底面フラップ２６が第２内面板２３に対して内側に折曲されるとき、第２支持片２７は、第２底面フラップ２６と一体に変位される。第２支持片２７は第２底面フラップ２６と反対側に移動して第２外面板２１の内面と接触する。これにより、第２支持片２７は、第２内面板２３を第２外面板２１に対して一定の距離を保つように支持する。
【００６１】
第２外面板２１と第２内面板２３とは略平行である。この状態で第２底面フラップ２６を底壁５に接着する。なお、接着については第１底面フラップ１５と同様である。すなわち、第２底面フラップ２６を底壁に固定できる構成であれば、接着に限定されない。また、第２支持片２７も底壁５に接着されてもよい。また、第２底面フラップ２６の上部を底面カバー４４が覆うため、第２側壁２が収納物Ｓを支持するための十分な強度を有する場合、第２底面フラップ２６を底壁５に固定しなくてもよい。
【００６２】
（３．３  第３側壁３の組み立て）
第１側壁１および第２側壁２を組み立てた後、第３側壁３を形成する。図７に示すように、第１側壁１の前側の第１外側フラップ１４１および第１内側フラップ１４２は、それぞれ、第１外面板１１および第１内面板１３の側端の折り線で内側に折曲される。また、第２側面フラップ２４は第２内面板２３の側端で内側に折曲される。
【００６３】
折畳部２５は第２外面板２１と第３外面板３１の両方と連設されている。そのため、折畳部２５は、第２外面板２１との境界部分の折り線および第３外面板３１との境界部分の折り線で折曲される。折畳部２５は、この折曲と同時に中央の折り線で折曲される。これにより、折畳部２５は中央の折り線で二つ折りに折り畳まれる。
【００６４】
この状態で、第３上面板３２、第３内面板３３および第３底面フラップ３４が折り線で折曲され、第３側壁３が形成される。第３底面フラップ３４は、両端が斜めに切断された切欠きを備える。この切欠きは、第１底面フラップ１５の切欠き１５１および第２底面フラップ２６の切欠き２６１と干渉しない。そのため、紙が重ねられて部分的に厚くなるのを抑制できる。これにより、第３底面フラップ３４は全面が底壁５と接触するため、第３底面フラップ３４が浮き上りにくい。
【００６５】
第３側壁３を折曲により形成することで、第１外側フラップ１４１、第１内側フラップ１４２、第２側面フラップ２４および折り畳まれた折畳部２５が、第３外面板３１と第３内面板３３との間の空間に挿入される。また、第３側壁３の形成によって、第２側壁２の第２上面板２２の凸部２２１の一方の一部が、第３上面板３２に覆われる。また、第３内面板３３に備えられた係止爪３３１は、第１内面板１３の係止孔１３２に挿入される。
【００６６】
（３．４  第４側壁４の組み立て）
最後に第４側壁４の組み立てを行う。図８に示すように、後側の第１外側フラップ１４１および第１内側フラップ１４２、後側の第２側面フラップ２４を内側に折曲する。また、後側の折畳部２５を二つ折りに折りたたむ。
【００６７】
そして、第４外面板４１、第４上面板４２、第４内面板４３および底面カバー４４をそれぞれ折り線で折り曲げる。
【００６８】
底面カバー４４は、第１内面板１３、第２内面板２３、第３内面板３３および第４内面板４３で囲まれた長方形と略同じ大きさを有する。そのため、底面カバー４４は、折り線で折曲された後、収納箱１００の底面の第１内面板１３、第２内面板２３、第３内面板３３および第４内面板４３で囲まれた部分を覆うように配される。そして、底面カバー４４の自由端に備えられた凸部４４１を第３内面板３３に備えられた固定孔３３２に挿入する。
【００６９】
長方形状の底面カバー４４の短辺の一つは、第４内面板４３と連設される。そして、底面カバー４４の残りの短辺は、第３内面板３３と接触する。つまり、第３内面板３３は底面カバー４４に押されている。そして、底面カバー４４は、凸部４４１を固定孔３３２に挿入することで浮きあがりが抑制される。また、底面カバー４４に抑えられるため、第３底面フラップ３４の浮きあがりも抑制される。これにより、第３側壁３および第４側壁４が底壁５に接着されていない場合でも分解されにくい。
【００７０】
そして、前側の第１側面フラップ１４、第２側面フラップ２４および折畳部２５が、第３側壁３の第３外面板３１、第３上面板３２および第３内面板３３に囲まれた空間に挿入される。また、後側の第１側面フラップ１４、第２側面フラップ２４および折畳部２５が、第４側壁４の第４外面板４１、第４上面板４２および第４内面板４３に囲まれた空間に挿入される。これにより、第１側壁１、第２側壁２、第３側壁３および第４側壁４は、それぞれ立設された状態で連結される。
【００７１】
次に、収納箱１００における収納物Ｓの収納について説明する。図９は、収納箱１００に収納物Ｓが収納されている状態を示す斜視図である。図９に示すように、収納物Ｓは、上下で外径が異なる円筒形状の容器である。収納物Ｓとしては、例えば、ジュース、お酒等の飲料、化粧品、医薬品等を挙げることができるが、これに限定されない。
【００７２】
図９に示すように、収納物Ｓの収納部６０への収納は、収納物Ｓの下端部を第２貫通孔２３１に挿入するとともに、上端部を第１貫通孔１３１に挿入することで行われる。このとき、収納物Ｓの胴部は、底壁５を覆う底面カバー４４、すなわち、収納箱１００の底部１０１に支持される。
【００７３】
収納物Ｓの下端部が第２貫通孔２３１に挿入される。このとき、第２貫通孔２３１の十角形状の部分の各辺が収納物Ｓの下端部の外面と接触する。すなわち、収納物Ｓの下端部が第２貫通孔２３１の十角形状の部分に嵌合される。そのため、収納物Ｓの下端部は第２貫通孔２３１の辺縁部によって安定して保持される、すなわち、収納物Ｓの下端部の回転が抑制される。
【００７４】
また、収納物Ｓの下端部を十角形状の部分の各辺で保持する構成とすることで、第２貫通孔２３１の十角形状の部分に内接する円の直径と収納物Ｓの外径の大きさが異なった場合であっても挿入が可能である。例えば、収納物Ｓの下端部の外径が第２貫通孔２３１に内接する円の直径よりも大きい場合、収納物Ｓの下端部が第２貫通孔２３１の十角形状の部分を変形させて挿入可能である。これにより、収納物Ｓの下端部は第２貫通孔２３１の辺縁部により強固に保持される。また、逆に、収納物Ｓの下端部の外径が第２貫通のに内接する円の直径よりも小さい場合、収納物Ｓの下端部は第２貫通孔２３１の十角形状の部分の複数の辺で支持される。このことから、収納物Ｓの下端部の外径と第２貫通孔２３１に内接する円の直径とに誤差があっても、収納物Ｓの下端部はしっかり保持される。
【００７５】
また、収納物Ｓの上端部は第１貫通孔１３１に挿入される。このとき、第１貫通孔１３１の八角形状の部分の各辺が収納物Ｓの上端部の外面と接触する。すなわち、収納物Ｓの上端部が、第１貫通孔１３１の八角形状の部分に嵌合される。そのため、収納物Ｓの上端部は第１貫通孔１３１の辺縁部によって安定して保持される、すなわち、収納物Ｓの上端部の回転が抑制できる。
【００７６】
また、収納物Ｓの上端部を八角形状の部分の各辺で保持する構成とすることで、第１貫通孔１３１の八角形状の部分に内接する円の直径と収納物Ｓの外径とが異なった場合であっても挿入が可能である。例えば、収納物Ｓの上端部の外径が第１貫通孔１３１の八角形状の部分に内接する円の直径よりも大きい場合、収納物Ｓが第１貫通孔１３１の八角形状の部分を変形させて挿入可能である。これにより、収納物Ｓの上端部は、第１貫通孔１３１の辺縁部により強固に保持される。逆に、収納物Ｓの上端部の外径が第１貫通孔１３１の八角形状の部分に内接する円の直径よりも小さい場合、第１貫通孔１３１が八角形状の部分を備えるため、八角形状の部分の複数の辺で収納物Ｓを支持できる。このことから、収納物Ｓの上端部の外径と第１貫通孔１３１に内接する円の直径とに誤差があっても、第１貫通孔１３１の辺縁部が収納物Ｓの下端部をしっかり保持する。
【００７７】
これにより、図９に示すように、収納物Ｓを３個収納した場合であっても、収納箱１００の内部で収納物Ｓが保持される。なお、第１貫通孔１３１の八角形状の部分の形状及び大きさ、第２貫通孔２３１の十角形状の部分の形状および大きさは、収納物Ｓの形状にあわせて決定される。
【００７８】
また、収納物Ｓの上端部を挿入するときに、八角形状の部分が収納物Ｓによって変形しやすいように形成していてもよい。このような形状としては、例えば、第１貫通孔１３１の八角形状の部分の形状として、八角形状の部分の各辺が内側に向かって凸形に湾曲した形状を挙げることができる。このように、八角形状の部分の各辺を内側に凸形に湾曲させることで、第１貫通孔１３１の八角形状の部分が収納物Ｓを挿入するときに変形しやすくなる。なお、湾曲に限定されず、内側に向かって凸形に屈曲した構成であってもよいし、一部が凸形状に突出する形状であってもよい。八角形状の部分が収納物Ｓの挿入によって変形しやすい形状を広く採用できる。
【００７９】
これにより、収納物Ｓの上端部は、第１貫通孔１３１にてさらに強く保持され、収納物Ｓの回転を抑制する効果がさらに高くなる。なお、湾曲する辺は、第１貫通孔１３１の八角形状の部分の全ての辺であってもよいし、一部の辺であってもよい。さらに、第２貫通孔２３１の十角形状の部分の辺も、第１貫通孔１３１の八角形状の部分の辺と同様、内側に凸形状に湾曲していてもよい。第２貫通孔２３１をこのように構成することで、収納物Ｓの下端部もより強固に保持される。
【００８０】
収納物Ｓは、上端部を第１貫通孔１３１に、下端部を第２貫通孔２３１に嵌合させることで保持される。上述したとおり、収納箱１００に収納された収納物Ｓは回転が抑制されて保持される。例えば、第１貫通孔１３１の八角形状の部分に内接する円の直径よりも収納物Ｓの上端部の外径が小さい、または、第２貫通孔２３１の十角形状の部分に内接する円の直径よりも収納物Ｓの下端部の外径が小さい場合がある。この場合でも、他方が収納物Ｓをしっかり保持する構成であるので、収納部６０に収納された収納物Ｓは安定して、すなわち、回転が抑制された状態で保持される。
【００８１】
また、上述のように、第１貫通孔１３１の辺縁部で収納物Ｓの上端部を、第２貫通孔２３１の辺縁部で収納物Ｓの下端部を保持することで、包装容器Ａの向きを変えたり、包装容器Ａを移動させたりしても、収納物Ｓの収納箱１００における向きは、変化しにくい。
【００８２】
例えば、収納物Ｓの胴部に図柄（不図示）が設けられている場合がある。収納箱１００に収納するときに、収納物Ｓの図柄を所定の向き（例えば、上面向き）とすることで、包装容器Ａ（収納箱１００）が移動されても、収納物Ｓの図柄の収納箱１００における向きは、維持される。なお、図柄は、収納物Ｓの表面に直接形成されてもよいし、印刷等によって図柄を形成したシート状の部材を収納物Ｓの表面に貼着してもよい。
【００８３】
収納箱１００では、内面板に形成された貫通孔に収納物を挿入することで、底部に取り付けられる固定用の部材を用いなくても収納物Ｓの移動を抑制できる。つまり、収納箱１００は、一枚の紙シートＰｓから構成されるとともに、収納物Ｓを安定して保持することが可能である。そして、収納物Ｓは、第１側壁１の第１内面板１３の第１貫通孔１３１の辺縁部、第２側壁２の第２内面板２３の第２貫通孔２３１の辺縁部および底部１０１に保持される。すなわち、収納箱１００を構成する３つの壁部で支持されている。そのため、収納物Ｓは、底部に取り付けられる固定用の部材を用いて保持される場合に比べて、収納箱１００に安定して保持される。
【００８４】
本実施形態において、収納物Ｓとして、上下の外径が異なる筒状の容器を例に説明している。そのため、第１貫通孔１３１と第２貫通孔２３１とが異なる大きさである。しかしながらこれに限定されず、軸方向に亘って外径が一定の筒状の容器であってもよい。この場合、第１貫通孔１３１と第２貫通孔２３１とを同じ大きさおよび形状としてもよい。
【００８５】
（４．  収納箱１００の動作）
次に、本実施形態にかかる包装容器Ａの収納箱１００のその他の動作について図面を参照して説明する。図１０は、収納箱１００の第１側壁１を傾倒させた状態を示す斜視図である。  図１１は、収納物Ｓを収納した状態で第１側壁１を傾倒させた状態を示す斜視図である。
【００８６】
図７、図８等に示すように、第２側面フラップ２４は面取りされた長方形状であり、上端が、第３上面板３２および第４上面板４２に接触している。また、折畳部２５は折り畳まれた状態で第３側壁３および第４側壁４の内部に挿入されている。そして、第２上面板２２の凸部２２１の一部の上方に、第３上面板３２および第４上面板４２が重なる。そのため、第２側壁２は第３側壁３および第４側壁４と強固に連結される。すなわち、収納箱１００において、第２側壁２、第３側壁３および第４側壁４は、周壁１０２の一部を構成する強固なコの字状の構造体である。
【００８７】
一方、第１側面フラップ１４の第１外側フラップ１４１および第１内側フラップ１４２は、上端が自由端に行くほど下方に傾斜している。図７、図８に示すとおり、前側の第１外側フラップ１４１および第１内側フラップ１４２の上端と第３上面板３２との間には隙間がある。後側の第１外側フラップ１４１および第１内側フラップ１４２の上端と第４上面板４２との間には隙間がある。この隙間は、第１外側フラップ１４１および第１内側フラップ１４２の自由端に行くほど大きくなっている。
【００８８】
そのため、収納箱１００において、第１側壁１の上端を外周側に傾倒しても、第１外側フラップ１４１および第１内側フラップ１４２の上端が第３上面板３２および第４上面板４２と当接することによる移動の規制を受けにくい。つまり、第１側壁１は、上端を外周側に傾倒することが可能である（図１０参照）。なお、第１外側フラップ１４１および第１内側フラップ１４２の上端の形状を調整することで、第１側壁１を一定の角度傾倒させたときに、それ以上の傾倒を規制することも可能である。
【００８９】
図１０に示すように、収納箱１００では、第２側壁２、第３側壁３および第４側壁４のコの字状の連結を維持したまま、第１側壁１の上端を外周側に傾倒させることができる。図１１に示すように、第１側壁１の上端を外周側に傾倒させることで、収納物Ｓの上端部と第１貫通孔１３１との嵌合が外れる。これにより、収納箱１００から収納物Ｓを容易に取り出すことができる。なお、収納物Ｓが底部１０１に支持されるため、収納物Ｓの上端部と第１貫通孔１３１との嵌合を外しやすい。この点でも、使用者の利便性が高い。
【００９０】
また、第１側壁１を傾倒させた状態から、起立した状態（第１貫通孔１３１が収納物Ｓの上端部を保持した状態）に戻したとき、第３内面板３３の係止爪３３１および第４内面板４３の係止爪４３１が、第１内面板１３の両端に備えられた係止孔１３２に挿入される。これにより、第１側壁１は、起立した状態で保持される。つまり、係止爪３３１、４３１と係止孔１３２との係止により、第１側壁１の自由な傾倒を規制する。例えば、第１側壁１に対して傾倒する方向に一定以上の力が作用したとき、係止爪３３１、４３１と係止孔１３２との係合が外れて、第１側壁１が傾倒する。また、係止爪３３１、４３１を変形させて（撓ませて）係止孔１３２から外れやすくした後に、第１側壁１を傾倒してもよい。
【００９１】
（５．蓋材２００について）
蓋材２００の詳細について図面を参照して説明する。図１２は、図１に示す包装容器Ａに備えられる蓋材２００の斜視図である。蓋材２００は、底面部２０１と、上面部２０２と、一対の外嵌板２０３とを備える。底面部２０１および上面部２０２は長方形状である。底面部２０１および上面部２０２は、収納箱１００の底部１０１と略同じ形状である。底面部２０１と上面部２０２は上下に並んで配置されており、それぞれ、上下に対応する長辺同士が外嵌板２０３と連設される。
【００９２】
蓋材２００は、底面部２０１、上面部２０２および一対の外嵌板２０３で、前後に開口した筒状に形成される。前または後の開口から収納箱１００を前端または後端から挿入して蓋材２００に収納箱１００を収容する。なお、開口の一方が閉じられていてもよい。このように構成することで、蓋材２００に収容された収納箱１００の脱落を抑制できる。図１、図１２に示すように、上面部２０２には貫通孔である窓部２０４が備えられる。
【００９３】
なお、蓋材２００は、この形状に限定されない。例えば、図１３に示すような、蓋材３００であってもよい。図１３は、蓋材３００の他の例の下側から見た斜視図である。図６に示す蓋材３００は、上面部３０１と、外嵌板３０２と、窓部３０３とを備える。上面部３０１は、長方形状である。外嵌板３０２は、上面部３０１の各辺と連結された直方体形状の筒体である。そして、窓部３０３は、上面部３０１に設けられた貫通孔である。すなわち、蓋材３００は、下部に開口を有する有蓋筒状である。収納箱１００を上面側から開口に挿入することで、蓋材３００で収納箱１００の上部の開口を閉じる。
【００９４】
収納箱１００に収納物Ｓが収納された状態で蓋材２００（３００）が取り付けられる。蓋材２００が収納箱１００に取り付けられたときに、使用者は内部に収納された収納物Ｓを、窓部２０４（３０３）を介して確認できる。なお、窓部２０４（３０３）は、貫通孔のままでもよいし、窓部２０４（３０３）を覆う透明な樹脂フィルムを貼り付けてもよい。また、メッシュのような、一部視認可能な部材を貼り付けてもよい。
【００９５】
上述したとおり、収納物Ｓには、表面に図柄が形成されてものもある。包装容器Ａに収納された状態の収納物Ｓの表面の図柄は、使用者によって、蓋材２００（３００）の窓部２０４（３０３）から視認される。例えば、包装容器Ａにおいて、蓋材２００（３００）の窓部２０４（３０３）の周囲に配された図柄（不図示）と収納物Ｓおよび（または）収納物Ｓに配された図柄と、で１つの図柄（それぞれの部材に形成された図柄と区別のため、図案とする）を構成する場合がある。
【００９６】
例えば、包装容器Ａにおいて、蓋材２００（３００）と収納物Ｓおよび（または）収納物Ｓに配された図柄である図案が形成されているとする。包装容器Ａでは、搬送、商品棚等への陳列等で移動させた場合でも、収納物Ｓの回転が抑制される。そのため、移動後の包装容器Ａでは、移動前に形成された図案が乱れにくい。そのため、包装容器Ａを用いることで、販売者が収納箱１００、蓋材２００（３００）および収納物Ｓで形成した図案を、販売用の棚等に陳列されている状態で、使用者に認識させることが可能である。すなわち、包装容器Ａを用いることで、使用者（購入者）に対する商品（収納物Ｓ）の訴求効果を高めることができる。また、購入後においても図案が乱れにくいので、包装容器Ａの図案を居室、オフィス等の使用者の生活空間で装飾に用いることも可能である。すなわち、包装容器Ａを用いることで、意匠性を損なうことなく、収納物Ｓを確実に保持できる。
【００９７】
また、収納箱１００に蓋材２００（３００）を取り付けたとき、第１側壁１は、外嵌板２０３（３０２）に外嵌される。これにより、収納箱１００に蓋材２００（３００）が取り付けられているとき、第１側壁１の傾倒は抑制される。つまり、収納箱１００に蓋材２００（３００）が取り付けられているとき、収納箱１００では、第１内面板１３の第１貫通孔１３１と第２内面板２３の第２貫通孔２３１とによって、収納物Ｓが安定保持される。また、蓋材２００（３００）を取り外すことで、収納箱１００は、第１側壁１の上部を外側に傾倒させることが可能になる。これにより、収納物Ｓを取り出しやすい。
【００９８】
以上示したとおり、本実施形態の包装容器Ａを用いることで、収納物Ｓを収納している状態のときに、収納部６０内に保持用の部材を配置しなくてもよい。また、収納物Ｓは、収納物Ｓがずれたり、動いたり（回転したり）しないように、すなわち、安定した状態で保持される。また、第１側壁１の上端を外周側に傾倒することで、第１貫通孔１３１による収納物Ｓの上端部の保持が解除される。これにより、収納物Ｓを容易に取り出すことができる。このことは、例えば、搬送時において、収納物Ｓが包装容器Ａの内部で動くことを抑制できる。これにより、収納物Ｓの劣化等を抑制できる。また、包装容器Ａからの収納物Ｓの取り出しは、第１側壁１を傾倒することで容易に行うことが可能である。これらのことから、使用者の利便性を高めることが可能である。
【００９９】
本実施形態の包装容器Ａにおいて、第１側壁１を傾倒させる構成としているが、これに限定されない。例えば、第１側壁１を傾倒させない構成とする場合、第１側面フラップ１４は、第２側面フラップ２４と同じ形状としてもよい。また、第１外面板１１と第３外面板３１および第４外面板４１との間に折畳部２５と同様の構成の折畳部を設けてもよい。また、蓋材２００（３００）は、必要に応じて取り付けられるようにすればよい。蓋材２００（３００）が不要である場合、収納箱１００単体で包装容器Ａを構成する。
【０１００】
（６．  変形例１）
本実施形態の変形例について図面を参照して説明する。図１４は、本実施形態にかかる収納箱１００の他の例の展開図である。図１４は、収納箱１００を組み立てる前の紙シートＰｓである。図１４に示す収納箱１００は、第１貫通孔１３４および第２貫通孔２３３の形状が異なる以外、図４に示す紙シートＰｓと同じ構成である。そのため、図１４の紙シートＰｓの図４に示す紙シートＰｓと実質上同じ部分には、同じ符号を付している。
【０１０１】
本実施形態の収納箱１００は、円筒形状の収納物Ｓを収納する構成である。そのため、図１４に示すように、第１貫通孔１３４および第２貫通孔２３３は、八角形状および（または）十角形状に替えて、円形状（円弧状）としてもよい。第１貫通孔１３４および第２貫通孔２３３を、円形状（円弧状）を含む構成とすることで、第１貫通孔１３４および第２貫通孔２３３の端縁部に応力が集中しにくく、つぶれにくい。このような、円形状の部分を含む第１貫通孔１３４および第２貫通孔２３３を備える収納箱１００に収納する収納物Ｓとしては、例えば、回転しても変化がないまたは略変化がない図柄が形成された収納物Ｓを挙げることができる。また、回転して図柄が変化してもよい収納物Ｓであってもよい。
【０１０２】
（７．  変形例２）
本実施形態にかかる収納箱１００は、中心軸と直交する面で切断した断面が円形である円筒状のものを収納物Ｓとして収納する構成を例に説明している。しかしながら、収納物Ｓは、円筒状に限定されない。例えば、中心軸と直交する面で切断した断面の形状が、三角形、四角形、六角形等の多角形、楕円形等の円形以外の収納物を収納する構成であってもよい。この場合、第１貫通孔および第２貫通孔は、収納物の断面形状に対応した形状としてもよい。また、収納物として、例えば、内容物を内蔵したピロー袋形状の包装袋のように、外面が柔軟性を有する、換言すると、変形可能な構成であってもよい。この場合、第１貫通孔および第２貫通孔は、収納物にあわせて確実に固定できる形状とする。
【０１０３】
上述した包装容器Ａは、紙シートを切断、折曲して形成している。しかしながら、これに限定されない。たとえば、紙シートに替えて樹脂シートを用いてもよい。
【０１０４】
なお、第１底面フラップ１５の第１内面板１３との境界から自由端までの長さは第２底面フラップ２６の第２内面板２３との境界から自由端までの長さよりも長い。つまり、第１底面フラップ１５の方が第２底面フラップ２６よりも面積が大きい。
【０１０５】
上述の実施形態では、第１底面フラップ１５および第２底面フラップ２６は接着していた。一方で、第１底面フラップ１５および第２底面フラップ２６を接着しない場合もある。この場合、第１底面フラップ１５の面積を大きくすることで、底壁５および底面カバー４４との摩擦力を大きくすることができる。
【０１０６】
これにより、第１底面フラップ１５を接着しない状態で、第１側壁１を傾倒したとき、第１底面フラップ１５のずれを抑制できる。これにより、第１側壁１を傾倒した後、元の形状に戻しやすい。
【０１０７】
本明細書中に開示されている種々の技術的特徴は、その技術的創作の主旨を逸脱しない範囲で種々の変更を加えることが可能である。また、本明細書中に示される複数の実施形態および変形例は可能な範囲で組み合わせて実施されてよい。
【０１０８】
上述の構成の包装容器Ａは、対向する一対の第１側壁１及び第２側壁２を含む周壁１０２を底壁５上に立設して上面が開口した収納部６０を備える。第１側壁１及び第２側壁２は、底壁５から上方に折曲される外面板１１、２１と、外面板１１、２１の上端から内方に折曲される上面板１２、２２と、上面板１２、２２の内端から下方に折曲される内面板１３、２３と、を備える。対向する内面板１３および内面板２３は、それぞれ収納物Ｓを嵌合により保持する貫通孔１３１および２３１を備える。
【０１０９】
この構成によると、収納部６０の内部に収納物Ｓを保持するための保持部材を備えることなく、収納物Ｓを保持することができる。そのため、使用する材料を減らすことが可能であり、コストダウン可能であるとともに、包装容器Ａ自体を軽量化することが可能である。また、収納物Ｓの２箇所（両端）を貫通孔１３１、２３１に嵌合するため、収納物Ｓを安定して保持することが可能である。そのため、収納物Ｓを収納した状態で運搬した場合であっても、収納物Ｓがずれたり、移動したりしにくい。そのため、収納物Ｓの変形、劣化等を抑制できる。さらに、収納物Ｓを貫通孔１３１、２３１に嵌合させるだけで保持可能であるため、収納物Ｓの着脱が容易である。このため、使用者の利便性を高めることが可能である。
【０１１０】
上記構成において、第１側壁１が、下端を中心として上端を外周側に傾倒可能であってよい。このように構成することで、第１側壁１側に備えられた貫通孔１３１による収納物Ｓの保持を容易に外すことができる。これにより、さらに収納物Ｓの着脱が容易であり、使用者の利便性をさらに高めることが可能である。
【０１１１】
上記構成において、第１側壁１の外面板１１及び内面板１３の少なくとも一方は、側端から内側に折曲される側面フラップ１４１（１４２）を備える。第１側壁１に隣接する周壁３（４）が折曲により側面フラップ１４１（１４２）を挿入可能に形成される。側面フラップ１４１（１４２）の上端が、自由端に行くほど下方に傾斜する。このように構成することで、第１側壁１は側面フラップ１４１（１４２）が周壁３（４）に収納されるため、包装容器の角部の強度を高めることが可能である。また、第１側壁１を外周側に容易に傾倒可能となる。そのため、包装容器Ａの強度を高めることができるとともに収納物Ｓの着脱が容易であり、使用者の利便性をさらに高めることが可能である。
【０１１２】
貫通孔１３１（２３１）は、収納物Ｓが内接可能な多角形の一部を含む形状であってもよい。このように構成することで、貫通孔１３１（２３１）は、収納物Ｓの外面を複数の点で保持できる。また、第１側壁１の内面板１３および第２側壁２の内面板２３の少なくとも一方に設けられる貫通孔１３１（２３１）は、多角形の少なくとも一辺が内側に向かって凸形状に湾曲していてもよい。これにより、収納物Ｓを挿入するときに、多角形の辺部を変形させることができ、収納物Ｓは、より強固に保持される。
【０１１３】
上記構成において、収納部６０の上面を覆う蓋材２００をさらに備える。蓋材２００は、少なくとも、第１側壁１の外面板１１に外嵌する外嵌板２０３を備える。このように構成することで、蓋材２００を取り付けたとき、外嵌板２０３が第１側壁１の外面板１１を押える。そのため、運搬時等に、振動や力が包装容器Ａに作用しても第１側壁１の外周側への傾倒が抑制される。これにより、包装容器Ａは、運搬時の収納物Ｓのずれ、移動等を抑制できる。
【０１１４】
上記構成において、内面板１３（２３）の下端から内側に折曲される底面フラップ１５（２６）をさらに備える。第１側壁１に連設した底面フラップ１５の第１側壁１と第２側壁２とが対向する方向の長さが、第２側壁２に連設した底面フラップ２６よりも長くてもよい。
【０１１５】
上記構成において、内面板１３（２３）の下端から内側に折曲される底面フラップ１５（２６）と、内面板１３（２３）に設けた切込み１３３（２３２）により形成されるとともに底面フラップ１５（２６）から外側に突出して外面板１１（２１）の内面に当接する支持片１６（２７）と、をさらに備えていてもよい。このように構成することで、外面板１１（２１）と内面板１３（２３）とは、上端が上面板１２（２２）で接続され、下端が支持片１６（２７）にて一定の間隔をなすように支持される。そのため、外面板１１（２１）と内面板１３（２３）との間隔を一定に保つことができる。これにより、収納物Ｓの貫通孔１３１（２３１）から突出する部分の長さを一定に保つことができ、収納物Ｓをより安定して保持することが可能である。
【０１１６】
上記構成において、切込み１３３（２３２）が底面フラップ１５（２６）と内面板１３（２３）との境界の折り線から延びて貫通孔１３１（２３１）の辺縁を形成してもよい。このように構成することで、支持片１６（２７）と底面フラップ１５（２６）とを同一面で形成することが可能である。そのため、内面板１３（２３）の下端と底面フラップ１５（２６）との境界に設けられた折り線で底面フラップ１５（２６）を折曲することで、支持片１６（２７）を外面板１１（２１）側に突出させることができる。これにより、組み立て作業を減らすことが可能である。また、支持片１６（２７）を別途設ける場合に比べて材料を少なくすることができる。
【産業上の利用可能性】
【０１１７】
本発明によると、一定の長さを有する収納物を安定して収納するための包装容器として利用することができる。
【符号の説明】
【０１１８】
１      第１側壁
１１      第１外面板
１２      第１上面板
１３      第１内面板
１３１      第１貫通孔
１３２      係止孔
１４      第１側面フラップ
１４１      第１外側フラップ
１４２      第１内側フラップ
１５      第１底面フラップ
１５１      切欠き
１６      第１支持片
２      第２側壁
２１      第２外面板
２２      第２上面板
２２１      凸部
２３      第２内面板
２３１      第２貫通孔
２４      第２側面フラップ
２５      折畳部
２６      第２底面フラップ
２６１      切欠き
２７      第２支持片
３      第３側壁
３１      第３外面板
３２      第３上面板
３３      第３内面板
３３１      係止爪
３３２      固定孔
３４      第３底面フラップ
４      第４側壁
４１      第４外面板
４２      第４上面板
４３      第４外面板
４３１      係止爪
４４      底面カバー
４４１      凸部
５      底壁
６０      収納部
１００      収納箱
１０１      底部
１０２      周壁
２００      蓋材
２０１      底面部
２０２      上面部
２０３      外嵌板
２０４      窓部
３００      蓋材
３０１      上面部
３０２      外嵌板
３０３      窓部
Ａ      包装容器
Ｐｓ      紙シート
Ｓ      収納物
【図１】
2020093824.tif 000003
【図２】
2020093824.tif 000004
【図３】
2020093824.tif 000005
【図４】
2020093824.tif 000006
【図５】
2020093824.tif 000007
【図６】
2020093824.tif 000008
【図７】
2020093824.tif 000009
【図８】
2020093824.tif 000010
【図９】
2020093824.tif 000011
【図１０】
2020093824.tif 000012
【図１１】
2020093824.tif 000013
【図１２】
2020093824.tif 000014
【図１３】
2020093824.tif 000015
【図１４】
2020093824.tif 000016